(57)【要約】【課題】設置場所の自由度が大きく、ランプ交換が容易にできる照明器具を提供する。【解決手段】照明器具Ａは、縦長であって略箱状の器具本体１と、器具本体１の前面側に配設されるランプソケット３と、ランプソケット３に着脱自在に装着される蛍光ランプ４と、蛍光ランプ４を覆うように器具本体１に取着される透光パネル２とを備えている。ランプソケット３は、取付状態においてランプ軸Ｘが器具本体１の反射面１ｆに対してθ２の角度をなすように器具本体１に取着されている。透光パネル２は、透光性を有する断面視略コ字状のパネル本体２ａを有しており、パネル本体２ａの対向する２面の端部にはそれぞれ内側に向かって延出する折曲片２ｂが一体に形成されている。各折曲片２ｂには、略コ字状のパネル金具７がそれぞれ取付けられており、取付ねじ６を用いてパネル金具７を器具本体１に固定すると、透光パネル２が器具本体１に回動自在に軸支される。【選択図】図１
2008181807.tif 000002
【特許請求の範囲】
【請求項１】
造営材に取着され当該造営材と反対側の部位にランプが配設される器具本体と、ランプが着脱自在に装着され、取付状態におけるランプ軸の角度が造営面に対して４０°以上且つ６０°以下となるように器具本体に配設されたランプソケットと、ランプ軸を含み造営材と直交する面内で回動自在とする回動手段を介して器具本体に取付けられ、ランプを覆う閉位置とランプの着脱操作を可能とする開位置との間で回動するカバーとを備えてなることを特徴とする照明器具。
【請求項２】
前記回動手段は、前記器具本体又は前記カバーの何れか一方側において造営面に沿った方向に並べて設けられた複数の軸受け部と、他方側に設けられ前記複数の軸受け部の何れかに選択的に軸支される回動軸とからなることを特徴とする請求項１記載の照明器具。
【発明の詳細な説明】
【技術分野】
【０００１】
本発明は、壁や天井等の造営材に取付けられる照明器具に関するものである。
【背景技術】
【０００２】
従来より、図７に示すように、例えば、壁面等の造営材（図示せず）に取付けられる照明器具Ａがあった。この照明器具Ａは、縦長であって略箱状の器具本体１を備えており、器具本体１の前面側（壁面と反対側）にはランプ軸が斜め下方となるようにランプソケット３が取付けられ、ランプソケット３には蛍光ランプ４が装着されている。また、蛍光ランプ４の前面側には、蛍光ランプ４から照射された光を透過させる透光パネル２が蛍光ランプ４を覆うように配設されている。この透光パネル２は、器具本体１の前面（反射面）及び両側面の３方向を覆う断面視略コ字状であって透光性を有するパネル本体２ａを有しており、パネル本体２ａにおいて対向する２面の先端側には内側に向かって延出する折曲片２ｂがそれぞれ一体に形成されている。そして、透光パネル２は、取付ねじ９を用いて器具本体１の前面側に取付けられている。
【０００３】
この照明器具Ａでは、蛍光ランプ４を交換する際に一旦透光パネル２を器具本体１から取り外す必要があり、蛍光ランプ４の交換に手間がかかっていた。また、取り外した透光パネル２を置くための場所も必要であり、取り外した透光パネル２を別の場所に置くことによって、例えば踏み付けられたりして透光パネル２が破損する等の弊害が起こり得る可能性もあった。
【０００４】
そこで、ランプ交換を容易にするために、取付具に対してカバーを回動自在に設けた照明器具が提案されている（例えば特許文献１参照）。この照明器具は、壁面等の造営材に取付けるための取付具と、取付具に取付けられる照明灯と、照明灯の周辺部を帯状に覆う不透明なアルミニウム製のカバーとを備えている。取付具は、略箱状であって背面側で壁面に取着されており、この取付具の前面側にはランプが前面側に突出した状態（ランプ軸が造営材の表面に直交する方向に配設された状態）で取付けられている。また、取付具において左右方向の両側面には、回転軸がそれぞれ取付けられており、これらの回転軸にはカバーが回動自在に取付けられている。
【０００５】
この照明器具は、カバーを下方に配置することで上方のみから光を照射し、壁面や天井面を介して光を反射させて室内を照らす間接照明として使用される。また、カバーを上方に配置することで直接光を照射させる直接照明として使用される。さらに、カバーを上方に配置することで、カバーを取り外すことなく容易にランプ交換を行うことができる。
【特許文献１】特開平８−１１１１０９号公報（第２頁−第３頁、及び、第１図−第３図）
【発明の開示】
【発明が解決しようとする課題】
【０００６】
上述の特許文献１に示した照明器具では、ランプが壁面に対して前面側に突出した状態で取付けられており、壁面と直交する方向のカバーの寸法が大きくなっている。従って、カバーを開閉させる際に十分なスペースが必要であり、設置場所の自由度が小さいという問題があった。また、ランプを着脱する際にはランプ軸に沿った方向、すなわち壁面と直交する方向にランプを移動させなければならず、高所での作業となり、ランプの交換が困難であった。さらに、ランプ軸が造営材の表面に沿う方向となるようにランプを取付具に取付けた場合には、取付具の前面とランプとの隙間が小さくランプが回し難いため、作業性が悪かった。
【０００７】
本発明は上記問題点に鑑みて為されたものであり、その目的とするところは、設置場所の自由度が大きく、ランプ交換が容易にできる照明器具を提供することにある。
【課題を解決するための手段】
【０００８】
請求項１の発明は、造営材に取着され当該造営材と反対側の部位にランプが配設される器具本体と、ランプが着脱自在に装着され、取付状態におけるランプ軸の角度が造営面に対して４０°以上且つ６０°以下となるように器具本体に配設されたランプソケットと、ランプ軸を含み造営材と直交する面内で回動自在とする回動手段を介して器具本体に取付けられ、ランプを覆う閉位置とランプの着脱操作を可能とする開位置との間で回動するカバーとを備えてなることを特徴とする。
【０００９】
請求項２の発明は、回動手段は、器具本体又はカバーの何れか一方側において造営面に沿った方向に並べて設けられた複数の軸受け部と、他方側に設けられ複数の軸受け部の何れかに選択的に軸支される回動軸とからなることを特徴とする。
【発明の効果】
【００１０】
請求項１の発明によれば、取付状態におけるランプ軸の角度が造営面に対して４０°以上且つ６０°以下となるようにランプソケットを器具本体に配設し、且つ、カバーをランプ軸を含み造営材と直交する面内で回動させることによって、ランプ軸が造営材の表面と直交する方向となるようにランプを配設した場合と比較して、造営面からのランプの突出量が小さくなり、造営材の表面と直交する方向におけるカバーの寸法を小さくすることができる。従って、カバーを開閉する際に必要なスペースを小さくすることができるので、照明器具の設置場所の自由度が大きくなるという効果がある。また、照明器具を壁面に取付けた場合には、ランプの取付高さが同じであっても低い位置でランプを着脱することができるので、ランプの着脱が容易になるという効果もある。さらに、ランプ軸が造営材の表面に沿う方向となるようにランプを配設した場合には、ランプの取付面とランプの隙間が小さいので、ランプの着脱が困難である。従って、ランプを着脱するために作業スペースを大きく取る必要があり、カバーを大きく開けなければならない。一方、本発明によれば、ランプの取付面とランプの隙間が大きいので、ランプを容易に着脱することができる。従って、ランプを着脱する際に、カバーを大きく開けなくてもランプを着脱することができるので、ランプの着脱作業に十分なスペースが確保できない場所であっても、設置することができるという効果がある。
【００１１】
請求項２の発明によれば、器具本体又はカバーの何れか一方側に設けた回動軸を他方側に設けた複数の軸受け部の何れかに選択的に軸支させることによって、造営面に沿う方向においてランプの取付位置からカバーの回動側の端部までの距離を調整することができる。従って、交換するランプの大きさが異なる場合であっても、回動軸の位置を変えることによって、ランプに干渉することなくカバーを開閉させることができ、大きさの異なる複数種類のランプに対応した照明器具を提供することができるという効果がある。
【発明を実施するための最良の形態】
【００１２】
本発明の実施形態を図１〜図６に基づいて説明する。本発明に係る照明器具Ａは、壁面等の造営材に取付けられ、階段や通路等を照らすために用いられる。
【００１３】
本発明に係る照明器具Ａは、縦長であって略箱状の器具本体１と、器具本体１の前面側（壁面と反対側）に配設されるランプソケット３と、ランプソケット３に着脱自在に装着される蛍光ランプ４と、蛍光ランプ４を覆うように器具本体１に取付けられる断面視略コ字状の透光パネル（カバー）２とを備えている。
【００１４】
まず、器具本体１について図３に基づいて説明する。器具本体１は、縦長の略箱状であって、前面側（図３（ａ）の上面側）には蛍光ランプ４から照射された光を反射させる反射面１ｆが形成されている。また、反射面１ｆの壁面に沿う方向の両端側からは、壁面に向かって側部１ｇがそれぞれ突設されている。この反射面１ｆと各側部１ｇとがなす角部には、反射面１ｆに対してθ１（θ１＝５０°）の角度をなす傾斜面１ａがそれぞれ設けられている。また、反射面１ｆにおいて長手方向一端側には、取付状態においてランプソケット３が配設される切欠部１ｂが設けられている。さらに、器具本体１の各側部１ｇにおいて長手方向一端側の傾斜面１ａ寄りには、透光パネル２を器具本体１に取付けるための取付ねじ（回動軸）６を挿通させる挿通孔１ｃがそれぞれ設けられている。
【００１５】
次に、透光パネル２について図４に基づいて説明する。透光パネル２は、透光性を有する略矩形板状の前面部２ｅ及び前面部２ｅの両端から直交する方向にそれぞれ延出する透光性の側面部２ｆ、２ｆで形成された断面視略コ字状のパネル本体２ａを有しており、各側面部２ｆの先端側には対向する反対側の側面部２ｆに向かってそれぞれ延出する折曲片２ｂが一体に形成されている。また、各折曲片２ｂの長手方向一端側（図４（ｃ）の上側）には、後述するパネル金具７を固定するための取付ねじ（図示せず）を挿通させる挿通孔２ｃがそれぞれ設けられている。さらに、パネル本体２ａにおいて開口する両端側（図４（ｂ）の前後方向両端側）には、透光性を有する略矩形板状の透光板２ｄが折曲片２ｂ側に開口部を設けた状態で前面部２ａ寄りにそれぞれ取付けられている。
【００１６】
ここで、パネル金具７について図２及び図５に基づいて説明する。パネル金具７は、内側寸法が透光パネル２の折曲片２ｂの厚み寸法と略同寸法であって、折曲片２ｂの長手方向に沿って延出する断面視略コ字状の金具本体７ａを有しており、金具本体７ａの長手方向一端側には、略矩形板状の取付片７ｂが一体に形成されている。また、取付片７ｂの略中央位置には、取付ねじ６を挿通させるための挿通孔（図示せず）が設けられている。ここに、取付ねじ６とパネル金具７とで回動手段が構成されている。
【００１７】
続けて、ランプソケット３及び蛍光ランプ４について図１に基づいて説明する。ランプソケット３は、略筒状であって一端側に後述するソケット取付金具５に取付けるための取付部（図示せず）が設けられており、他端側には蛍光ランプ４の口金部（図示せず）がねじ込まれるソケット部（図示せず）が設けられている。一方、蛍光ランプ４は、略螺旋状の発光管を有する電球型蛍光ランプであって、口金部を介してランプソケット３のソケット部に装着される。
【００１８】
ここで、ソケット取付金具５について図１及び図２に基づいて説明する。ソケット取付金具５は、器具本体１の反射面１ｆと直交する方向に延出する略矩形板状の支持片５ａを有しており、支持片５ａの一端側において反射面１ｆの上方位置に取付けられている。また、支持片５ａの他端側には、支持片５ａとなす角がθ２（θ２＝５５°）となるように反射面１ｆ側に向かって斜め下方に折曲形成された取付片５ｂが一体に設けられている。そして、取付部を介してランプソケット３を取付片５ｂに取付けると、蛍光ランプ４を取付けた際にランプ軸Ｘと反射面１ｆとがなす角がθ２（θ２＝５５°）となるようにランプソケット３が配設される。
【００１９】
次に、器具本体１に透光パネル２を取付ける手順について図５に基づいて説明する。まず、パネル金具７を透光パネル２の折曲片２ｂに取付け、取付ねじ（図示せず）を挿通孔２ｃに挿通しパネル金具７を透光パネル２に螺着させる。そして、器具本体１の挿通孔１ｃ及びパネル金具７の取付片７ｂに設けた挿通孔に取付ねじ６を挿通して固定すると、透光パネル２が側面部２ｆの一端側においてランプソケット３に近い側の端部で器具本体１に軸支される。尚、この状態において、蛍光ランプ４を覆う閉位置と蛍光ランプ４の着脱操作を可能とする開位置との間で透光パネル２を回動自在に開閉することができる。
【００２０】
さらに、蛍光ランプ４を交換する手順について図１及び図２に基づいて説明する。まず、照明器具Ａを使用している状態では、図２に示すように透光パネル２が蛍光ランプ４を覆うように前面側に配設されている。この状態から透光パネル２を上方に回転させると、図１に示すように蛍光ランプ４及びランプソケット３が露出した状態になる。そして、この状態で蛍光ランプ４の交換を行い、交換終了後透光パネル２を下方に回転させると、図２に示すように透光パネル２が蛍光ランプ４を覆った状態に戻る。
【００２１】
この照明器具Ａでは、壁面に取付けた状態において、ランプ軸Ｘの角度が反射面１ｆ（壁面）に対してθ２（θ２＝５５°）となるようにランプソケット３を器具本体１に配設し、且つ、透光パネル２をランプ軸Ｘを含み壁面と直交する面内で回動させることによって、ランプ軸Ｘが壁面と直交する方向となるように蛍光ランプ４を配設した場合と比較して、壁面からの蛍光ランプ４の突出量が小さくなり、壁面と直交する方向における透光パネル２の外形寸法を小さくすることができる。従って、透光パネル２を開閉する際に必要なスペースを小さくすることができるので、照明器具Ａの設置場所の自由度が大きくなる。また、蛍光ランプ４の取付高さが同じであっても、蛍光ランプ４を斜め下方に向けることで低い位置で蛍光ランプ４を着脱することができるので、蛍光ランプ４の着脱が容易になる。さらに、ランプ軸Ｘが壁面に沿う方向となるように蛍光ランプ４を配設した場合には、反射面１ｆ（蛍光ランプ４の取付面）と蛍光ランプ４の隙間が小さいので、蛍光ランプ４の着脱が困難である。従って、蛍光ランプ４を着脱するために作業スペースを大きく取る必要があり、透光パネル２を大きく開けなければならない。一方、本発明によれば、反射面１ｆと蛍光ランプの隙間が大きいので、蛍光ランプ４を容易に着脱することができる。従って、蛍光ランプ４を着脱する際に、透光パネル２を大きく開けなくても蛍光ランプ４を着脱することができるので、蛍光ランプ４の着脱作業に十分なスペースが確保できない場所であっても、設置することができる。
【００２２】
尚、本実施形態では、ランプ軸Ｘの角度が反射面１ｆ（壁面）に対してθ２＝５５°の場合を例に説明したが、θ２は４０°以上且つ６０°以下であればよく、同様の効果が得られる。また、本実施形態では、取付ねじ６とパネル金具７とで回動手段を構成しているが、回動手段は本実施形態に限定されるものではなく、器具本体１に対して透光パネル２を回動自在に開閉させられるものであればよい。
【００２３】
次に、本実施形態の他の照明器具Ａについて図６に基づいて説明する。図６に示す照明器具Ａは、挿通孔１ｃの代わりに器具本体１の各側部１ｇに長手方向に沿って縦長の挿通溝１ｄがそれぞれ設けられており、各挿通溝１ｄの前面側の部位には前方に向かって切欠かれた部位とこの部位の先端側から下方に向かって切欠かれた部位とで形成された略Ｌ字状の軸受け溝（軸受け部）１ｅが長手方向に沿って等間隔に複数（図６では３個）設けられている。尚、各軸受け溝１ｅの下端側には、挿入された取付ねじ６を保持するための保持機構等を設けるのが好ましい。また、軸受け溝１ｅ以外の構成については図１と同様であるので、同一の構成要素には同一の符号を付して説明は省略する。尚、図６に示す照明器具Ａでは、取付ねじ６は透光パネル２側に固定されている。
【００２４】
ここで、図６（ｂ）における一番上側の軸受け溝１ｅから二番目の軸受け溝１ｅに取付ねじ６の位置を切り替える方法について説明する。まず、透光パネル２を持ち上げて後方に移動させると、取付ねじ６が一番上側の軸受け溝１ｅ内を通って挿通溝１ｄに移動する。次に、透光パネル２を下方に移動させると、取付ねじ６が挿通溝１ｄに沿って下方に移動する。そして、取付ねじ６が二番目の軸受け溝１ｅの位置に来たときに透光パネル２を前方に移動させて下方に押し下げると、取付ねじ６が二番目の軸受け溝１ｅ内を通って軸受け溝１ｅの下端位置で軸支され、取付ねじ６の位置の切替が完了する。尚、他の軸受け溝１ｅから取付ねじ６の位置を切り替える場合も同様の方法で切り替えることができる。ここに、取付ねじ６と軸受け溝１ｅとで回動手段が構成されている。
【００２５】
この照明器具Ａでは、透光パネル２側に固定した取付ねじ６を器具本体１側に設けた３個の軸受け溝１ｅの何れかに選択的に軸支させることによって、器具本体１の長手方向に沿う方向において蛍光ランプ４の取付位置から透光パネル２の回動側の端部（側面部２ｆの一端側において軸支された部位と反対側の端部）までの距離を調整することができる。従って、交換する蛍光ランプ４の大きさが異なる場合であっても、取付ねじ６の位置を切り替えることによって、蛍光ランプ４に干渉することなく透光パネル２を開閉させることができ、大きさの異なる複数種類の蛍光ランプ４に対応した照明器具Ａを提供することができる。
【００２６】
尚、本実施形態では、軸受け溝１ｅが３個の場合を例に説明したが、軸受け溝１ｅの数は本実施形態に限定されるものではなく、使用態様等に応じて適宜設計してもよい。また、軸受け溝１ｅの形状についても本実施形態に限定されるものではなく、適宜設計すればよい。
【図面の簡単な説明】
【００２７】
【図１】（ａ）は本実施形態の照明器具の透光パネルを開けた状態を示す斜視図である。（ｂ）は同上の照明器具の透光パネルを開けた状態を示す側面図である。
【図２】（ａ）は同上の照明器具の透光パネルを閉じた状態を示す斜視図である。（ｂ）は同上の照明器具の透光パネルを閉じた状態を示す側面図である。
【図３】（ａ）は同上の照明器具に用いられる器具本体の上面図である。（ｂ）は同上の照明器具に用いられる器具本体の正面図である。（ｃ）は同上の照明器具に用いられる器具本体の側面図である。
【図４】（ａ）は同上の器具本体に用いられる透光パネルの正面図である。（ｂ）は同上の照明器具に用いられる透光パネルの上面図である。（ｃ）は同上に用いられる透光パネルの背面図である。
【図５】（ａ）は同上の照明器具の上面図である。（ｂ）は同上の照明器具の要部詳細図である。
【図６】（ａ）は同上の他の照明器具を示す斜視図である。（ｂ）は同上の他の照明器具に用いられる器具本体の側面図である。
【図７】従来例を示す照明器具の斜視図である。
【符号の説明】
【００２８】
１    器具本体
１ｅ  軸受け溝（軸受け部）
２    透光パネル（カバー）
３    ランプソケット
４    蛍光ランプ
６    取付ねじ（回動軸）
７    パネル金具
Ａ    照明器具
【図１】
2008181807.tif 000003
【図２】
2008181807.tif 000004
【図３】
2008181807.tif 000005
【図４】
2008181807.tif 000006
【図５】
2008181807.tif 000007
【図６】
2008181807.tif 000008
【図７】
2008181807.tif 000009